(57)【要約】【課題】  骨折片が所要の整復姿勢からずれることが防止できるとともに、骨折片に対する取付用条材の取り付け強度が低下することなく、プレート部材の屈曲角度調整を容易に実施し得る固定具及び固定具セットを提供する。【解決手段】  第１支持部本体２１ａの他長辺部側には複数の切欠部２３が、第１支持部本体２１ａの長辺方向へ適宜の間隔で設けてある。取付用条材３は、棒状の脚部３５の一端に頭部３０を設けてなり、頭部３０はプレート部材２の第１支持部２１を挟持する挟持部３４を備えている。挟持部３４は、第１支持部本体２１ａを挟持し得るように調整した長さ寸法のロッド部３３の両端に平板状の第１挟持部３１及び第２挟持部３２を、第１挟持部３１及び第２挟持部３２が互いに平行になるように設けてある。【選択図】  図１
2008206789.tif 000002
【特許請求の範囲】
【請求項１】
骨折した骨本体から骨折片に亘って取り付けられるプレート部材と、頭部に脚部を垂設してなり、前記プレート部材を骨本体又は骨折片に取り付ける複数の取付用条材とを備え、各取付用条材で骨本体及び骨折片に取り付けられたプレート部材によって骨折片を所要の姿勢に固定する固定具において、
少なくとも前記プレート部材の骨折片に取り付けられる領域縁部の適宜位置には、前記取付用条材の頭部を嵌入させる複数の切欠部が設けてあり、
少なくともプレート部材を骨折片に取り付ける取付用条材の頭部には、前記プレート部材を挟持する挟持部が設けてある
ことを特徴とする固定具。
【請求項２】
少なくとも前記プレート部材の切欠部の周囲又は切欠部に対向する部分に、当該切欠部に嵌入された取付用条材の抜けを防止する抜け防止手段が設けてある請求項１記載の固定具。
【請求項３】
前記プレート部材の切欠部の周囲に雌螺子が設けてあり、前記取付用条材の頭部であって前記雌螺子に対向させる部分に、当該雌螺子と螺合する雄螺子が設けてある請求項２記載の固定具。
【請求項４】
前記プレート部材の切欠部に対向する部分であって、切欠部の底部から所定距離を隔てた位置の部分には、当該切欠部の他の部分の幅寸法より狭い幅寸法になした狭幅部が設けてあり、
前記挟持部は、対向配置した第１挟持部及び第２挟持部を前記切欠部内へ嵌入させるロッド部で連結してなり、該ロッド部には、前記狭幅部の寸法より小さい径寸法の部分と、前記狭幅部の寸法より大きい径寸法の部分とがロッド部の周方向へ位置を異ならせて設けてある請求項２記載の固定具。
【請求項５】
前記プレート部材の切欠部の周囲に凸部（凹部）が設けてあり、前記取付用条材の頭部であって前記プレート部材の凸部（凹部）に対向させる部分に、当該凸部（凹部）に嵌合する凹部（凸部）が設けてある請求項２記載の固定具。
【請求項６】
骨折した骨本体から骨折片に亘って取り付けられるプレート部材と、頭部に脚部を垂設してなり、前記プレート部材を骨本体又は骨折片に取り付ける複数の取付用条材とを備え、各取付用条材で骨本体及び骨折片に取り付けられたプレート部材によって骨折片を所要の姿勢に固定する固定具において、
少なくとも前記プレート部材の骨折片に取り付けられる領域縁部の適宜位置には、前記取付用条材の頭部を嵌入させる複数の切欠部が設けてあり、プレート部材の切欠部に対向する部分には、前記取付用条材の頭部の縁部を挟持する挟持溝が設けてあることを特徴とする固定具。
【請求項７】
少なくとも前記プレート部材の挟持溝の適宜位置に、当該挟持溝に嵌入された取付用条材の抜けを防止する抜け防止手段が設けてある請求項６記載の固定具。
【請求項８】
前記プレート部材の挟持溝の適宜位置に雌螺子が設けてあり、前記取付用条材の頭部であって前記雌螺子に対向させる部分に、当該雌螺子と螺合する雄螺子が設けてある請求項７記載の固定具。
【請求項９】
前記プレート部材の挟持溝の適宜位置に凸部（凹部）が設けてあり、前記取付用条材の頭部であって前記プレート部材の凸部（凹部）に対向させる部分に、当該凸部（凹部）に嵌合する凹部（凸部）が設けてある請求項７記載の固定具。
【請求項１０】
骨折した骨本体から骨折片に亘って取り付けられる複数のプレート部材と、頭部に脚部を垂設してなり、前記プレート部材を骨本体又は骨折片に取り付ける複数の取付用条材とを備え、前記各プレート部材から選択されたプレート部材を各取付用条材で骨本体及び骨折片に取り付け、該プレート部材によって骨折片を所要の姿勢に固定する固定具セットであって、
請求項１から９のいずれかに記載したプレート部材及び取付用条材を備え、
各プレート部材は、骨折片に取り付けられる第１部分と骨本体に取り付けられる第２部分とを具備し、
側面視において前記第１部分と第２部分とがなす第１角の角度、及び／又は平面視において前記第１部分と第２部分とがなす第２角の角度は、各プレート部材で相異ならせてある
ことを特徴とする固定具セット。
【発明の詳細な説明】
【技術分野】
【０００１】
本発明は、骨折片を所要の整復姿勢で固定するための固定具及び固定具セットに関する。
【背景技術】
【０００２】
例えば橈骨遠位部が骨折した場合、金属材を帯板状に成形してなるプレート部材の一端側を骨折した橈骨遠位部に螺子・釘といった取付用条材にて取り付けた後、当該橈骨遠位部を所要の姿勢に整復し、次いで前記プレート部材の他端側を橈骨本体に取付用条材にて取り付けることによって、骨折した橈骨遠位部を整復姿勢で固定している。
このようなプレート部材と取付用条材とを備える固定具として、後記する特許文献１には次のようなものが開示されている。
【０００３】
すなわち、帯板状のプレート部材の一端側は平面視が略舌片形になしてあり、この一端部の周縁部に取付用条材を挿通させる複数の挿通孔が、プレート部材を貫通する様態で一端部の周方向へ適宜の距離を隔てて開設してある。また、プレート部材の他端側には複数の挿通孔が、プレート部材の略中心軸上に適宜の間隔で開設してある。
【０００４】
そして、プレート部材の一端側の各挿通孔にそれぞれ取付用条材を貫通させ、各取付用条材の先端側を骨折片内へ、前記一端部が骨片に圧接するまで進入させた後、当該骨折片を所要の姿勢に整復し、次いで前記プレート部材の他端部の各挿通孔にそれぞれ取付用条材を貫通させ、各取付用条材の先端側を骨折した骨本体内へ、前記他端部が骨本体に圧接するまで進入さていた。
【特許文献１】特開２００６−３２６３０３号公報
【発明の開示】
【発明が解決しようとする課題】
【０００５】
しかし、このような従来の固定具にあっては、次のような問題があった。
図１０は、従来の固定具を用いて骨折片を固定した状態を示す模式的側断面図であり、図中、１２０はプレート部材である。
図１０に示したようにプレート部材１２０は、その一端から適宜の距離を隔てた位置で側面視が略へ字状に屈曲されており、屈曲された一面とは反対側の他面を骨折片Ｂｐ及び骨本体Ｂｍに当接させて、前述した如くプレート部材１２０に設けた挿通孔２３０を貫通させた取付用条材５０，５０，…にて骨折片Ｂｐ及び骨本体Ｂｍに取り付けられている。
【０００６】
このような固定具では、骨折片Ｂｐに取り付けた取付用条材５０がプレート部材１２０の挿通孔２３０に挿通させてあるだけであるため、取付用条材５０の姿勢を一定に保持することができず、またプレート部材１２０と取付用条材５０との間にガタが発生し、骨折片Ｂｐが破線で示した所要の整復姿勢Ｓからずれることを防止できないという問題があった。
【０００７】
これに対し、貫通孔に雌螺子を、取付用条材の周面に雄螺子をそれぞれ設けておき、取付用条材を貫通孔に螺合させることによって、取付用条材をプレート部材に固着させるようになして固定具が開発されている。
【０００８】
しかし、そのような固定具では、プレート部材と骨との間に間隙が生じ易く、その場合プレート部材によって骨を支持することができないので、固定具としての前述した効果を奏することができない。
また、従来の固定具には別の問題もあった。
【０００９】
すなわち、プレート部材１２０は患者の骨の形状に倣って屈曲させる必要がある一方、前述したように、プレート部材１２０の一端部を取付用条材５０によって骨折片Ｂｐに取り付けた後、骨折片Ｂｐを整復する作業を行うので、整復後の骨の形状に倣った形状にプレート部材１２０を屈曲させるには、骨折片Ｂｐに取り付けた取付用条材５０及びプレート部材１２０を当該骨折片Ｂｐから取り外し、屈曲角度調整を行った後に再び、取付用条材５０によってプレート部材１２０を骨折片Ｂｐに取り付けなければならず、屈曲角度調整作業が煩雑であるのに加え、骨折片Ｂｐに対して取付用条材５０を取り付け・取り外す作業を繰り返すと、骨折片Ｂｐに対する取付用条材５０の取り付け強度が低下する。
【００１０】
本発明は、かかる事情に鑑みてなされたものであって、骨折片が所要の整復姿勢からずれることが防止できるとともに、骨折片に対する取付用条材の取り付け強度が低下することなく、プレート部材の屈曲角度調整を容易に実施し得る固定具及び固定具セットを提供する。
【課題を解決するための手段】
【００１１】
（１）  請求項１記載の発明は、骨折した骨本体から骨折片に亘って取り付けられるプレート部材と、頭部に脚部を垂設してなり、前記プレート部材を骨本体又は骨折片に取り付ける複数の取付用条材とを備え、各取付用条材で骨本体及び骨折片に取り付けられたプレート部材によって骨折片を所要の姿勢に固定する固定具において、少なくとも前記プレート部材の骨折片に取り付けられる領域縁部の適宜位置には、前記取付用条材の頭部を嵌入させる複数の切欠部が設けてあり、少なくともプレート部材を骨折片に取り付ける取付用条材の頭部には、前記プレート部材を挟持する挟持部が設けてあることを特徴とする。
【００１２】
本発明に係る固定具を構成する取付用条材の脚部を骨折片の所要位置に埋設させた後、取付用条材の頭部をプレート部材の切欠部内に嵌入させ、当該頭部に設けた挟持部によってプレート部材の切欠部周囲を挟持・固定させる。この状態で骨折片を所要の姿勢に整復させ、プレート部材を屈曲させる角度を求め、骨折片を元の状態に戻してプレート部材を各取付用条材の挟持部から抜き出し、抜き出したプレート部材を屈曲させる。このプレート部材を前同様にして各取付用条材の挟持部に挟持・固定させる。そして、プレート部材を取付用条材によって骨本体に取り付ける。
【００１３】
このように、各取付用条材を骨折片に取り付けた状態でプレート部材を着脱し得るため、骨折片に対する取付用条材の取り付け強度が低下することなく、プレート部材の屈曲角度調整を容易に実施することができる。
また、プレート部材は各取付用条材の挟持部に挟持・固定されているため、骨折片に固着させた取付用条材の姿勢を一定に強制できると共に、プレート部材と取付用条材との間のガタの発生が可及的に低減され、骨折片が所要の整復姿勢からずれることが防止される。
【００１４】
（２）  請求項２記載の発明は、請求項１において、少なくとも前記プレート部材の切欠部の周囲又は切欠部に対向する部分に、当該切欠部に嵌入された取付用条材の抜けを防止する抜け防止手段が設けてあることを特徴とする。
これによって、骨折片に取り付けた取付用条材の挟持部からプレート部材が抜出することが防止されるため、骨折片を所要の姿勢に整復させた後の処置を円滑に実施することができる。
【００１５】
（３）  請求項３記載の発明は、請求項２において、前記プレート部材の切欠部の周囲に雌螺子が設けてあり、前記取付用条材の頭部であって前記雌螺子に対向させる部分に、当該雌螺子と螺合する雄螺子が設けてあることを特徴とする。
前述したように屈曲角度を調整したプレート部材を骨折片に脚部を埋設した各取付用条材の挟持部に挟持させる。本発明にあっては、プレート部材の切欠部の周囲に雌螺子が設けてあり、取付用条材の頭部であって前記雌螺子に対向させる部分に、当該雌螺子と螺合する雄螺子が設けてある。そして、取付用条材の雄螺子をプレート部材の雌螺子に螺合させる。
これによって、取付用条材とプレート部材とを固着させることができるため、骨折片に取り付けた取付用条材の挟持部からプレート部材が抜出することが防止される。
【００１６】
（４）  請求項４記載の発明は、請求項２において、前記プレート部材の切欠部に対向する部分であって、切欠部の底部から所定距離を隔てた位置の部分には、当該切欠部の他の部分の幅寸法より狭い幅寸法になした狭幅部が設けてあり、前記挟持部は、対向配置した第１挟持部及び第２挟持部を前記切欠部内へ嵌入させるロッド部で連結してなり、該ロッド部には、前記狭幅部の寸法より小さい径寸法の部分と、前記狭幅部の寸法より大きい径寸法の部分とがロッド部の周方向へ位置を異ならせて設けてあることを特徴とする。
本発明の固定具にあっては、取付用条材の頭部を構成するロッド部の小径寸法部分を位置合わせして、プレート部材の切欠部を取付用条材の挟持部に、取付用条材のロッド部が切欠部の狭幅部を超えて切欠部の底部に達するまで嵌合させた後、取付用条材を回動させる。
これによって、ロッド部の大径寸法部分が切欠部の狭幅部に当接して後退が阻止されるため、挟持部からのプレート部材の抜けを防止することができる。
【００１７】
（５）  請求項５記載の発明は、請求項２において、前記プレート部材の切欠部の周囲に凸部（凹部）が設けてあり、前記取付用条材の頭部であって前記プレート部材の凸部（凹部）に対向させる部分に、当該凸部（凹部）に嵌合する凹部（凸部）が設けてあることを特徴とする。
本発明の固定具にあっては、プレート部材の切欠部の周囲に設けた凸部（凹部）と、取付用条材の頭部であって前記プレート部材の凸部（凹部）に対向させる部分に設けた凹部（凸部）とが互いに嵌合するため、前同様、挟持部からのプレート部材の抜けを防止することができる。
【００１８】
（６）  請求項６記載の発明は、骨折した骨本体から骨折片に亘って取り付けられるプレート部材と、頭部に脚部を垂設してなり、前記プレート部材を骨本体又は骨折片に取り付ける複数の取付用条材とを備え、各取付用条材で骨本体及び骨折片に取り付けられたプレート部材によって骨折片を所要の姿勢に固定する固定具において、少なくとも前記プレート部材の骨折片に取り付けられる領域縁部の適宜位置には、前記取付用条材の頭部を嵌入させる複数の切欠部が設けてあり、プレート部材の切欠部に対向する部分には、前記取付用条材の頭部の縁部を挟持する挟持溝が設けてあることを特徴とする。
【００１９】
本発明の固定具を構成する取付用条材の脚部を骨折片の所要位置に埋設させた後、取付用条材の頭部をプレート部材の切欠部内に嵌入させ、プレート部材の切欠部に対向する部分に設けた挟持溝に前記取付用条材の頭部の縁部を挟・固定させる。
これによって前同様、各取付用条材を骨折片に取り付けた状態でプレート部材を着脱し得るので、骨折片に対する取付用条材の取り付け強度が低下することなく、プレート部材の屈曲角度調整を容易に実施することができる。
また、各取付用条材の頭部はプレート部材の挟持部に挟持・固定されているため、骨折片に固着させた取付用条材の姿勢を一定に強制できると共に、プレート部材と取付用条材との間のガタの発生が可及的に低減され、骨折片が所要の整復姿勢からずれることが防止される。
【００２０】
（７）  請求項７記載の発明は、請求項６において、少なくとも前記プレート部材の挟持溝の適宜位置に、当該挟持溝に嵌入された取付用条材の抜けを防止する抜け防止手段が設けてあることを特徴とする。
これによって、骨折片に取り付けた取付用条材の挟持部からプレート部材が抜出することが防止されるため、骨折片を所要の姿勢に整復させた後の処置を円滑に実施することができる。
【００２１】
（８）  請求項８記載の発明は、請求項７において、前記プレート部材の挟持溝の適宜位置に雌螺子が設けてあり、前記取付用条材の頭部であって前記雌螺子に対向させる部分に、当該雌螺子と螺合する雄螺子が設けてあることを特徴とする。
本発明の固定具は、プレート部材の挟持溝の適宜位置に設けた雌螺子と、取付用条材の頭部であって前記雌螺子に対向させる部分に設けた雄螺子とが螺合して、取付用条材とプレート部材とを固着させることができるため、骨折片に取り付けた取付用条材の頭部がプレート部材の挟持溝から抜出することが防止される。
【００２２】
（９）  請求項９記載の発明は、請求項７記載において、前記プレート部材の挟持溝の適宜位置に凸部（凹部）が設けてあり、前記取付用条材の頭部であって前記プレート部材の凸部（凹部）に対向させる部分に、当該凸部（凹部）に嵌合する凹部（凸部）が設けてあることを特徴とする。
本発明の固定具は、プレート部材の挟持溝の適宜位置に設けた凸部（凹部）と、取付用条材の頭部であって前記プレート部材の凸部（凹部）に対向させる部分に設けた凹部（凸部）とが嵌合するため、前同様、取付用条材の頭部がプレート部材の挟持溝から抜出することが防止される。
【００２３】
（１０）  請求項１０記載の発明は、骨折した骨本体から骨折片に亘って取り付けられる複数のプレート部材と、頭部に脚部を垂設してなり、前記プレート部材を骨本体又は骨折片に取り付ける複数の取付用条材とを備え、前記各プレート部材から選択されたプレート部材を各取付用条材で骨本体及び骨折片に取り付け、該プレート部材によって骨折片を所要の姿勢に固定する固定具セットであって、請求項１から９のいずれかに記載したプレート部材及び取付用条材を備え、各プレート部材は、骨折片に取り付けられる第１部分と骨本体に取り付けられる第２部分とを具備し、側面視において前記第１部分と第２部分とがなす第１角の角度、及び／又は平面視において前記第１部分と第２部分とがなす第２角の角度は、各プレート部材で相異ならせてあることを特徴とする。
【００２４】
本発明の固定具セットは、第１角の角度及び／又は第２角の角度を相異ならせた種々のプレート部材を備える一方、前述したように骨折片に対する取付用条材の取り付け強度を低下させることなく、容易にプレート部材を着脱し得るため、所要屈曲角度を有するプレート部材に変更することによって、プレート部材を屈曲させる作業を省いて、骨折片の固定作業を迅速に行うことができる。
【発明を実施するための最良の形態】
【００２５】
（本発明の第１の実施形態）
図１は本発明に係る固定具の要部構成を示す斜視図である。
図１に示したように、固定具１は骨折片を支持するプレート部材２、及び該プレート部材２を骨折片に取り付けるための取付用条材３を備えている。
前述したプレート部材２は、金属製板材を平面視が略Ｔ字形に成形してなり、骨折片に取り付けられる第１支持部２１と骨折した骨本体に取り付けられる第２支持部２２とが設けられている。
【００２６】
帯状の第２支持部２２の長手方向と平行をなす略中心軸上には、複数（図１にあっては３つ）の挿通孔２４,２４，…が互いに距離を隔てて、第２支持部２２を貫通する様態で開設してあり、各挿通孔２４,２４，…には、頭部に脚部を垂下してなる螺子・釘等の他の取付用条材５（図３参照）をそれぞれ挿通させるようになっている。
【００２７】
また、前述した第１支持部２１は平面視が略長方形の第１支持部本体２１ａを、その一長辺部の略中央位置から前記第２支持部２２が連通するように設けてなり、側面視における第１支持部本体２１ａと第２支持部２２とのなす第１角Ｒ１の角度、及び平面視における第１支持部本体２１ａと第２支持部２２とのなす第２角Ｒ２は、それぞれ適宜の角度にしてある。
【００２８】
この第１支持部本体２１ａの他長辺部側には、平面視が略Ｕ字形になるように切り欠いた複数（図１にあっては４つ）の切欠部２３,２３，…が、第１支持部本体２１ａの長辺方向へ適宜の間隔で設けてあり、各切欠部２３,２３，…は切欠部２３の幅方向の中央位置上を通る中心軸がそれぞれ、前述した第２支持部２２の中心軸と平行をなしている。また、第１支持部本体２１ａの切欠部２３,２３，…に臨む部分はテーパになしてある。
【００２９】
一方、本発明に係る取付用条材３は、棒状の脚部３５の一端に頭部３０を設けてなり、頭部３０は前述したプレート部材２の第１支持部２１を挟持する挟持部３４を備えている。前述した脚部３５は棒体の周面に螺子山を形成してなり、後述する如く脚部３５を骨折片に螺入させて骨折片をプレート部材２に圧接させ得るようになっている。
【００３０】
また、挟持部３４は、前記第１支持部本体２１ａを挟持し得るように調整した長さ寸法のロッド部３３の両端に平板状の第１挟持部３１及び第２挟持部３２を、第１挟持部３１及び第２挟持部３２が互いに平行になるように設けてなり、挟持部３４の第２挟持部３２から前記脚部３５が、ロッド部３３の中心軸上に脚部３５の中心軸が位置するように垂下させてある。
ロッド部３３の直径は、前述した切欠部２３の幅寸法より僅かに小さくしてあり、これによって取付用条材３を切欠部２３の底部までスムーズに嵌入させることができるようになっている。
【００３１】
なお、本実施の形態では、第１挟持部３１及び第２挟持部３２が互いに平行になるように設けてあるが、本発明はこれに限らず、プレート部材２の形状に応じて、該プレート部材２を挟持し得るように第１挟持部３１及び第２挟持部３２の形状及びその配置を定めればよい。また、第１支持部本体２１ａの切欠部２３,２３，…に臨む部分はテーパになしてあり、第１挟持部３１の第２挟持部３２に対向する部分に前記テーパに対応するテーパになしてあるが、本発明はこれに限らず、第１支持部本体２１ａ及び第１挟持部３１の対応する両部分を平坦になしてもよい。
【００３２】
次に、本発明に係る固定具１を用いて骨折片を固定する方法に付いて説明する。
図２及び図３は、図１に示した固定具１を用いて骨折片を固定する手順を説明する説明図である。なお、図中、図１に示した部分に対応する部分には同じ番号を付してその説明を省略する。
プレート部材２の形状に応じて予め作成した位置決め冶具を用いて、取付用条材３,３，…を骨折片Ｂｐに取り付ける位置を決定する。
【００３３】
図２（ａ）に示したように、決定した位置に、本発明に係る取付用条材３,３，…の脚部３５（３５，…）を骨折片Ｂｐに、各取付用条材３,３，…の第２挟持部３２（３２,…）が骨折片Ｂｐに当接するまで螺入させた後、各取付用条材３,３，…のロッド部３３（３３，…）をプレート部材２の切欠部２３,２３，…内に、ロッド部３３（３３，…）が切欠部２３,２３，…の底部に当接するまで進入させることによって、各取付用条材３,３，…の挟持部３４（３４，…）にプレート部材２を挟持・固定させる。
【００３４】
図２（ｂ）に示したように、この状態で骨折片Ｂｐを整復させ、所要の整復姿勢Ｓに対して、側面視における第１支持部本体２１ａと第２支持部２２とのなす第１角Ｒ１の修正角度の見当を付ける。
そして、骨折片Ｂｐを元の状態に戻してプレート部材２を各取付用条材３,３，…の挟持部３４（３４，…）から抜き出し、抜き出したプレート部材２の第１角Ｒ１の角度が修正角度になるようにプレート部材２をベンダー装置によって屈曲させる。
【００３５】
次に、図３（ｃ）に示したように、第１角Ｒ１を所要の修正角度に屈曲させたプレート部材２を前同様にして各取付用条材３,３，…の挟持部３４（３４，…）に挟持・固定させ、骨折片Ｂｐを所要の整復姿勢Ｓに整復させる。
このように、各取付用条材３,３，…を骨折片Ｂｐに取り付けた状態でプレート部材２を着脱し得るため、骨折片Ｂｐに対する取付用条材３,３，…の取り付け強度が低下することなく、プレート部材２の屈曲角度調整を容易に実施することができる。
【００３６】
そして、図３（ｄ）に示したように、プレート部材２の挿通孔２４,２４，…に螺子・釘といった他の取付用条材５,５，…を挿通させ、各他の取付用条材５,５，…を骨折した骨本体Ｂｍ内へ進入させることによってプレート部材２を骨本体Ｂｍに固着させ、該プレート部材２によって骨折片Ｂｐを所要の整復姿勢Ｓに固定する。
【００３７】
このとき、プレート部材２は各取付用条材３,３，…の挟持部３４（３４，…）に挟持・固定されているため、プレート部材２と取付用条材３との間のガタの発生が可及的に低減されると共に、取付用条材３が姿勢が一定に強制され、骨折片Ｂｐが所要の整復姿勢Ｓからずれることが防止される。
【００３８】
ところで、本発明に係る固定具１にあっては、骨折片Ｂｐに対する取付用条材３,３，…の取り付け強度が低下することなく、プレート部材２を着脱することが可能であるため、後述するように複数種類のプレート部材を予め備える固定具セットとすることによって、ベンダー装置による屈曲角度の調整作業を排除することができる。
【００３９】
図４は、本発明に係る固定具セットに具備されたプレート部材を説明する説明図であり、図４（ａ）は側面視における第１支持部本体２１ａと第２支持部２２とのなす第１角Ｒ１の角度を異ならせた場合を、図４（ｂ）は平面視における第１支持部本体２１ａと第２支持部２２とのなす第２角Ｒ２の角度を異ならせた場合をそれぞれ示している。
【００４０】
同一部分の骨であってもその形状には個体差が存在するため、図４（ａ）（ｂ）に示したように、側面視における第１支持部本体２１ａと第２支持部２２とのなす第１角Ｒ１の角度を相異ならせた複数のプレート部材２,２，…、及び／又は、平面視における第１支持部本体２１ａと第２支持部２２とのなす第２角Ｒ２の角度を異ならせた複数のプレート部材２,２，…を予め用意しておく。
【００４１】
そして、前述した図３（ｃ）に示したように、整復すべき骨の形状に応じた第１角Ｒ１の角度及び／又は第２角Ｒ２の角度を有するプレート部材２に交換するのである。
このように複数種類のプレート部材２,２，…を備える固定具セットによれば、ベンダー装置によるプレート部材２の屈曲角度の調整作業を排除することができ、骨折片Ｂｐの固定作業を迅速に行うことができる。
【００４２】
なお、本実施の形態では、棒体の周面に螺子山が棒体の長手方向の略全長に亘って形成した脚部３５を用いているが、本発明はこれに限らず、棒体の長手方向の一部、例えば先端部分に螺子山を設けた脚部３５を用いてもよい。
また、図１に示した場合にあっては、取付用条材３の第１挟持部３１及び第２挟持部３２は円板状にしてあるが、本発明はこれに限らず、多角形状であってもよいことはいうまでもない。
【００４３】
（本発明の第２の実施形態）
図５及び図６は本発明の第２の実施形態に係る固定具の部分拡大図であり、取付用条材３に設けた挟持部３４からのプレート部材２の抜けを防止し得るようになしてある。図５に示した場合にあっては取付用条材３をプレート部材２に螺着させるようにした場合を、図６に示した場合にあっては、抜け防止手段としての突起を設けた場合をそれぞれ示している。なお、各図中、図１に示した部分に対応する部分には同じ番号を付してその説明を省略する。
【００４４】
図５（ａ）に示したように、取付用条材３のロッド部３３の周面であって、第１挟持部３1に連通する部分に抜け防止手段としての雄螺子３３ａが設けてあり、プレート部材２の切欠部２３の底部に臨む領域であって、プレート部材２を挟持した挟持部３４の前記雄螺子３３ａに対向する部分に、雄螺子３３ａと螺合する抜け防止手段としての雌螺子２５が設けてある。
また、図５（ｂ）に示した場合にあっては、取付用条材３の第１挟持部３１の周面に雄螺子３１ａが設けてある。
【００４５】
これら雄螺子３３ａ,３１ａは例えば１／２ピッチ分だけ設けてあり、これによってプレート部材２を挟持部３４に挟持させた後、取付用条材３を１／２回転だけ締め付けることによって雄螺子３３ａ,３１ａと雌螺子２５,２５とを螺合固着させ、挟持部３４，３４からのプレート部材２，２の抜けを防止することができる。
【００４６】
一方、図６（ａ）に示した場合にあっては、プレート部材２の切欠部２３に臨む部分に、取付用条材３のロッド部３３を案内する案内面２３ａ,２３ａが対向配置されており、両案内面２３ａ,２３ａの切欠部２３底部から適宜距離を隔てた位置に突起部２３ｂ,２３ｂを設けて、両案内面２３ａ,２３ａ間の幅寸法を他の部分の幅寸法より狭くなした狭幅領域２３ｃが形成されている。
【００４７】
取付用条材３のロッド部３３の外周面には互いに平行なフランジ部を設けて相対的に直径が小さい小径部３３ｂが形成されており、該小径部３３ｂ以外の部分は相対的に直径が大きい大径部３３ｃになしてある。このロッド部３３の小径部３３ｂの径寸法は前述した切欠部２３の狭幅領域２３ｃ間の寸法より少し小さく、ロッド部３３の大径部３３ｃの径寸法は狭幅領域２３ｃ間の寸法より大きく切欠部２３の幅寸法より少し小さい。
【００４８】
このような固定具にあっては、取付用条材３の小径部３３ｂを構成する両フランジ部とプレート部材２の案内面２３ａ,２３ａとを平行になした状態でプレート部材２の切欠部２３を取付用条材３の挟持部３４内に、取付用条材３のロッド部３３が突起部２３ｂ,２３ｂを超えて切欠部２３の底部に達するまで嵌合させた後、取付用条材３を半回転させる。これによって、ロッド部３３の大径部３３ｃが突起部２３ｂ,２３ｂに当接して後退が阻止されるため、挟持部３４からのプレート部材２の抜けを防止することができる。
【００４９】
なお、前述した突起部２３ｂ,２３ｂを、例えばプレート部材２内へ退入・プレート部材２内から進出させることができる構成になすことによって、小径部３３ｂを具備しない取付用条材３を用いた場合であっても、前同様、挟持部３４からのプレート部材２の抜けを防止することができる。
【００５０】
また、図６（ｂ）に示した場合にあっては、取付用条材３のロッド部３３をプレート部材２の切欠部２３内に、ロッド部３３が切欠部２３の底部に達するまで嵌入させたときに、互いに嵌合するように、取付用条材３の第１挟持部３１の裏面及びプレート部材２の第１挟持部３１に対向する部分に、凸部３１ｃ（又は凹部３１ｄ）及び凹部２６（又は凸部２７）が設けられている。
これによって、凸部３１ｃ（又は凹部３１ｄ）と凹部２６（又は凸部２７）とが嵌合するため、前同様、挟持部３４，３４からのプレート部材２，２の抜けを防止することができる。
なお、前述した凸部３１ｃ（又は凹部３１ｄ）及び凹部２６（又は凸部２７）は、第２挟持部３２及びプレート部材２の第２挟持部３２に対向する部分に設けてもよい。
【００５１】
（本発明の第３の実施形態）
図７及び図８は、本発明の第３の実施形態に係る固定具の一部破断部分拡大斜視図であり、プレート部材２によって取付用条材３の一部を挟持するようになしてある。なお、図中、図１に示した部分に対応する部分には同じ番号を付してその説明を省略する。
【００５２】
図７に示したように、取付用条材３は頭部３０の裏面中央に周面に螺子山が形成された脚部３５を垂下してある。頭部３０は、螺子頭本体の周縁にフランジ状の部分を設けて側面視が略凸形になしてあり、前記フランジ状の部分は抜け防止手段としての雄螺子部３０ｂにしてある。
【００５３】
一方、プレート部材２の切欠部２３に臨む内側部２３ｄ,２３ｄ及び内底部２３ｅには、前記取付用条材３の頭部３０の形状に対応した形状にしてあり、頭部３０を案内するとともに該頭部３０の周縁部を挟持する挟持溝２３ｆがそれらの全域に亘って略Ｕ字状に形成してある。また、挟持溝２３ｆの内底部２３ｅ部分及びその周囲部分には、前記頭部３０の雄螺子部３０ｂを螺合させる抜け防止手段としての雌螺子部２３ｇが形成してある。
【００５４】
そして、取付用条材３,３，３を骨折片に、各頭部３０,３０，３０が骨折片から所定寸法だけ突出するように取り付けた後、プレート部材２を取付用条材３，３，３に近付け、各切欠部２３,２３，２３の挟持溝２３ｆ,２３ｆ，２３ｆ内に頭部３０,３０，３０の周縁部たる雄螺子部３０ｂ，３０ｂ，３０ｂを嵌入させ、該挟持溝２３ｆ,２３ｆ，２３ｆ内を内底部２３ｅ,２３ｅ，２３ｅに当接するまで、頭部３０,３０，３０の雄螺子部３０ｂ，３０ｂ，３０ｂを摺動させることによって、プレート部材２と取付用条材３,３，３とを嵌着させた後、取付用条材３,３，３を締め付けることによって頭部３０，３０，３０の雄螺子部３０ｂ，３０ｂ，３０ｂを雌螺子部２３ｇ，２３ｇ，２３ｇに螺合させ、取付用条材３,３，３とプレート部材２とを固着させる。
【００５５】
これによって、取付用条材３，３，３を螺入させた骨折片をプレート部材２に強く固着させることができるのに加え、各取付用条材３，３，３の頭部３０，３０，３０がプレート部材２の挟持溝２３ｆ，２３ｆ，２３ｆに挟持・固定されているため、取付用条材３，３，３の姿勢が一定に強制されと共に取付用条材３，３，３とプレート部材２との間のガタの発生が可及的に低減され、骨折片が所要の整復姿勢からずれることが防止される。更に、取付用条材３，３，３とプレート部材２とが固着してあるため、プレート部材２の切欠部２３，２３，２３からの取付用条材３，３，３の抜けが防止される。
【００５６】
一方、図８に示した場合では、図７に示した雌螺子部２３ｇ及び雄螺子部３０ｂに代えて、頭部３０の裏面周縁部に抜け防止手段としての凸部３０ｃを設け、挟持溝２３ｆの内底部２３ｅから所定距離を隔てた位置に前記凸部３０ｃが嵌合する抜け防止手段としての凹部２３ｉが設けてある。そして、挟持溝２３ｆ内に頭部３０の周縁部を嵌入させ、該挟持溝２３ｆ内を内底部２３ｅに当接するまで、頭部３０を摺動させることによって、プレート部材２と取付用条材３とを嵌着させた後、取付用条材３を回動させることによって頭部３０の凸部３０ｃを挟持溝２３ｆの凹部２３ｉに嵌合させ、取付用条材３とプレート部材２とを固着させている。
【００５７】
なお、図８に示した固定具にあっては、頭部３０に凸部３０ｃを形成し、挟持溝２３ｆに凹部２３ｉを形成した場合について示してあるが、本発明はこれに限らず、頭部３０に凹部を形成し、挟持溝２３ｆに前記凹部に嵌合する凸部を設けてもよいことはいうまでもない。
【００５８】
ところで、このような構成の固定具では、プレート部材２と取付用条材３とを嵌着させた後に取付用条材３を更に締め付けることによって、取付用条材３、プレート部材２及び骨折片を互いに固着させることができるので、取付用条材３がプレート部材２から抜出することが抑制される。従って、図７に示した雌螺子部２３ｇ、雄螺子部３０ｂ、及び図８に示した凸部３０ｃ及び凹部２３ｉを設けることなく、取付用条材３の頭部３０の周縁部をプレート部材２の挟持溝２３ｆに挟持・固定するようになした構成のものも、本発明の固定具とすることができる。
【００５９】
なお、本実施の形態で説明したプレート部材２についても、図４で示したように、側面視における第１支持部本体２１ａと第２支持部２２とのなす第１角Ｒ１の角度を相異ならせた複数のプレート部材２,２，…、及び／又は、平面視における第１支持部本体２１ａと第２支持部２２とのなす第２角Ｒ２の角度を異ならせた複数のプレート部材２,２，…を予め用意しておくことによって固定具セットとすることができることはいうまでもない。
【００６０】
（その他の実施形態）
図９は、本発明のその他の実施形態に係る固定具の平面図であり、プレート部材２の第１支持部２１と同様に、第２支持部２２にも切欠部２８，２８，２８が設けてある。なお、図中、図１に示した部分に対応する部分には同じ番号を付してその説明を省略する。
【００６１】
図９に示したように、プレート部材２の第１支持部２１及び第２支持部２２には、それぞれ複数の切欠部２３，２３，…、２８,２８，…が、例えば第１支持部２１の一端側に設けた切欠部２３を除いて略円弧形に設けてあり、各切欠部２３，２３，…、２８,２８，…は第１支持部２１の一端側に設けた切欠部２３の底部中央を中心とする同心円上に配置されている。
【００６２】
このような固定具では、骨折片及び骨本体の各所定位置に図１に示した取付用条材３,３，…をそれぞれ螺入させておき、第１支持部２１の一端側に設けた切欠部２３を対応する取付用条材３の挟持部３４に嵌合させて第１支持部２１の当該切欠部２３に臨む部分を挟持部３４に挟持させた後、プレート部材２を前記取付用条材３を中心に回動させ、第１支持部２１の他の切欠部２３,２３，…及び第２支持部２２の切欠部２８,２８，…をそれぞれ対応する取付用条材３,３，…に嵌合させてプレート部材２を各挟持部３４,３４，…に挟持させる。
これによって、プレート部材２を骨折片及び骨本体に固着させた後であっても、ワンタッチで当該プレート部材２を脱着させることができる。
【図面の簡単な説明】
【００６３】
【図１】本発明に係る固定具の要部構成を示す斜視図である。
【図２】図１に示した固定具を用いて骨折片を固定する手順を説明する説明図である。
【図３】図１に示した固定具を用いて骨折片を固定する手順を説明する説明図である。
【図４】本発明に係る固定具セットに具備されたプレート部材を説明する説明図である。
【図５】本発明の第２の実施形態に係る固定具の部分拡大図である。
【図６】本発明の第２の実施形態に係る固定具の部分拡大図である。
【図７】本発明の第３の実施形態に係る固定具の一部破断部分拡大斜視図である。
【図８】本発明の第３の実施形態に係る固定具の一部破断部分拡大斜視図である。
【図９】本発明のその他の実施形態に係る固定具の平面図である。
【図１０】従来の固定具を用いて骨折片を固定した状態を示す模式的側断面図である。
【符号の説明】
【００６４】
１    固定具
２    プレート部材
３    取付用条材
２１    第１支持部
２１ａ  第１支持部本体
２２    第２支持部
２３    切欠部
２３ｃ  狭幅領域
２３ｄ  挟持溝
２４    挿通孔
２６    凹部
２７    凸部
３０    頭部
３１    第１挟持部
３１ｃ  凸部
３１ｄ  凹部
３２    第２挟持部
３３    ロッド部
３３ｂ  小径部
３３ｃ  大径部
３４    挟持部
３５    脚部
Ｒ１    第１角
Ｒ２    第２角
【図１】
2008206789.tif 000003
【図２】
2008206789.tif 000004
【図３】
2008206789.tif 000005
【図４】
2008206789.tif 000006
【図５】
2008206789.tif 000007
【図６】
2008206789.tif 000008
【図７】
2008206789.tif 000009
【図８】
2008206789.tif 000010
【図９】
2008206789.tif 000011
【図１０】
2008206789.tif 000012